(57)【要約】【課題】使用済みののり網に付着したのり網の完全に除去することができ、資源の低消費（reduce）、再使用（reuse）、リサイクル（recycle）を実現し得るのり網洗浄装置および該装置を用いたのり網洗浄方法を提供することである。【解決手段】略線状に絞り込まれた洗浄されるべきのり網に高圧水を噴射するために、当該洗浄されるべきのり網が進入する入口と、洗浄されたのり網が退出する出口とを備えた洗浄室と、該洗浄室に支持された１または２以上の高圧ノズルと、該洗浄室内において洗浄されるべきのり網を移動自在に保持するために該洗浄室に固定された保持手段とからなることを特徴としている。【選択図】図１
2008199903.tif 000002
【特許請求の範囲】
【請求項１】
略線状に絞り込まれた洗浄されるべきのり網（Ｎ１）に高圧水を噴射するために、当該洗浄されるべきのり網（Ｎ１）が進入する入口（２ａ）と、洗浄されたのり網（Ｎ２）が退出する出口（２ｂ）とを備えた洗浄室（２）と、
該洗浄室（２）に支持された１または２以上の高圧ノズル（４）と、
該洗浄室（２）内において洗浄されるべきのり網（Ｎ１）を移動自在に保持するために該洗浄室（２）に固定された保持手段（Ｈ）とからなる
ことを特徴とするのり網洗浄装置。
【請求項２】
洗浄されたのり網（Ｎ２）を前記洗浄室から出口（２ｂ）を通して引き出すための引出手段（５）をさらに備えてなる請求項１記載ののり網洗浄装置。
【請求項３】
前記保持手段（Ｈ）が、略線状に畳まれた洗浄されるべきのり網（Ｎ１）を挿通するための孔（３ｂ）を有する、１または２以上のプレート、網（３ａ）またはこれらの組み合わせである請求項１または２記載ののり網洗浄装置。
【請求項４】
前記引出手段（５）が、２または３以上のローラ（Ｒ１、Ｒ２）からなり、かつ当該２または３以上のローラ（Ｒ１、Ｒ２）が、互いに接触するように配設され、当該２または３以上のローラのうちの少なくとも１つに人力または動力によって回転トルクが付与されてなる請求項１〜３のいずれか１項に記載ののり網洗浄装置。
【請求項５】
前記高圧水の水圧が１０〜１５０ｋｇ／ｃｍ2である請求項１〜４のいずれか１項に記載ののり網洗浄装置。
【請求項６】
前記高圧水の水圧が８０〜１２０ｋｇ／ｃｍ2である請求項１〜４のいずれか１項に記載ののり網洗浄装置。
【請求項７】
のり網（Ｎ１）に高圧水を噴射するために、当該のり網（Ｎ１）が進入する入口（２ａ）と、のり網（Ｎ２）が退出する出口（２ｂ）とを備えた洗浄室（２）と、該洗浄室（２）に支持された１または２以上の高圧ノズル（４）と、該洗浄室（２）内において洗浄されるべきのり網（Ｎ１）を移動自在に保持するために該洗浄室（２）に固定された保持手段（３、３ａ）とからなるのり網洗浄装置を用いて、回収された使用済みの洗浄されるべきのり網の洗浄方法であって、
（ａ）前記洗浄されるべきのり網を略線状に絞り込む工程、
（ｂ）前記洗浄されるべきのり網を入口（２ａ）から前記洗浄室（２）内に導入し、保持手段（３）によって保持する工程、
（ｃ）保持されたのり網に高圧ノズルから高圧水を所定の時間噴射し、洗浄する工程、および
（ｄ）前記工程（ｃ）により洗浄されたのり網を出口から退出させる工程
を含んでなる
ことを特徴とする洗浄方法。
【請求項８】
前記洗浄されるべきのり網が、互いに連結された２または３以上の回収されたのり網である請求項７記載の洗浄方法。
【請求項９】
前記工程（ｄ）の後に、洗浄されたのり網に防臭処理剤を噴射する工程をさらに含んでなる請求項７または８記載の洗浄方法。
【請求項１０】
前記高圧水の水圧が１０〜１５０ｋｇ／ｃｍ2である請求項６または７記載の洗浄方法。
【請求項１１】
前記高圧水の水圧が８０〜１２０ｋｇ／ｃｍ2である請求項７〜９のいずれか１項に記載の洗浄方法。
【発明の詳細な説明】
【技術分野】
【０００１】
本発明はのり網洗浄装置および該装置を用いたのり網洗浄方法に関する。さらに詳しくは、１または２以上の連結された使用済みののり網を洗浄室内で高圧水を噴射することにより洗浄する装置および方法に関する。
【背景技術】
【０００２】
従来、のり業者は、海面に設置されたのり網（使用前の状態では１枚当たり約２ｋｇであるが、のりと水分を含んで約５０〜１００ｋｇにも達している）を船に引き上げ、該船を覆うような状態で、のり葉は船に装着されたロータで刈り取るというその作業を２〜５度繰り返すことによって、のりを回収している。
【０００３】
一方、のり網の大きさは、地域によって多少異なるが、約１．６ｍ×２０ｍの矩形状を呈しており、かなり大きい。そのうえ、のり網は一辺がたとえば約１６ｃｍと全体の大きさにくらべて小さい格子状メッシュから構成されており、のりは、この小さい格子状のメッシュにへばりつくように付着しており、また、のり網の撚り目に食い込んでいるものもあり、このようなかなりの時間と労力をかけてのり網に付着したのりの洗浄・除去作業をおこなっても、のりが、のり網の繊維にしっかりと絡まりついているため、きれいに完全に除去することができず、のりは腐敗し易いため、異臭を放ち再使用できる状態にはないので、のり業者は、のり網の回収業者によりのり網を回収させて、廃棄している。
【０００４】
回収されたのり網を大型の洗濯機でのり網に付着したのりを再度除去しようとする試みもあるが、やはり完全に除去できず、一度とれたのりが洗濯機中に残り、のり網に再び付着することがあり、矢張り、完全にのりを落とすことは困難であり、さらに洗濯後、網を取り出したときに網が、長さが約２０ｍもあるため、もつれることが多いという問題がある。
【発明の開示】
【発明が解決しようとする課題】
【０００５】
そこで、本発明者は、一度しか使用されていないのり網が、使用後、廃棄されているという現状と、資源の低消費（reduce）、再使用（reuse）、リサイクル（recycle）（低消費（reduce）、再使用（reuse）、リサイクル（recycle）の頭文字のＲを用いて３Ｒとも呼ばれている）が叫ばれている社会的ニーズに鑑みて、使用済みののり網に付着したのり網の完全に除去し得るような洗浄装置を案出することを技術的課題としたのであるのである。
【課題を解決するための手段】
【０００６】
本発明は、使用済みののり網に付着したのり網の完全に除去することができ、資源の低消費（reduce）、再使用（reuse）、リサイクル（recycle）を実現し得るのり網洗浄装置および該装置を用いたのり網洗浄方法を提供することを目的とする。
【０００７】
本発明の第一の態様にかかわるのり網洗浄装置は、略線状に絞り込まれた洗浄されるべきのり網（Ｎ１）に高圧水を噴射するために、当該洗浄されるべきのり網（Ｎ１）が進入する入口（２ａ）と、洗浄されたのり網（Ｎ２）が退出する出口（２ｂ）とを備えた洗浄室（２）と、
該洗浄室（２）に支持された１または２以上の高圧ノズル（４）と、
該洗浄室（２）内において洗浄されるべきのり網（Ｎ１）を移動自在に保持するために該洗浄室（２）に固定された保持手段（Ｈ）とからなることを特徴としている。
【０００８】
また、洗浄されたのり網（Ｎ２）を前記洗浄室から出口（２ｂ）を通して引き出すための引出手段（５）をさらに備えてなることが好ましい。
【０００９】
また、前記保持手段（Ｈ）は、略線状に畳まれた洗浄されるべきのり網（Ｎ１）を挿通するための孔（３ｂ）を有する、１または２以上のプレート、網（３ａ）またはこれらの組み合わせであってもよい。
【００１０】
また、前記引出手段（５）は、２または３以上のローラ（Ｒ１、Ｒ２）からなり、かつ当該２または３以上のローラ（Ｒ１、Ｒ２）が、互いに接触するように配設され、当該２または３以上のローラのうちの少なくとも１つに人力または動力によって回転トルクが付与されてなるようにすることもできる。
【００１１】
また、前記高圧水の水圧は１０〜１５０ｋｇ／ｃｍ2であることが好ましい。
【００１２】
また、前記高圧水の水圧が８０〜１２０ｋｇ／ｃｍ2であることが好ましい。
【００１３】
本発明の第二の態様にかかわるのり網の洗浄方法は、のり網（Ｎ１）に高圧水を噴射するために、当該のり網（Ｎ１）が進入する入口（２ａ）と、のり網（Ｎ２）が退出する出口（２ｂ）とを備えた洗浄室（２）と、該洗浄室（２）に支持された１または２以上の高圧ノズル（４）と、該洗浄室（２）内において洗浄されるべきのり網（Ｎ１）を移動自在に保持するために該洗浄室（２）に固定された保持手段（Ｈ）とからなるのり網洗浄装置を用いて、回収された使用済みの洗浄されるべきのり網の洗浄方法であって、
（ａ）前記洗浄されるべきのり網を略線状に絞り込む工程、
（ｂ）前記洗浄されるべきのり網を入口（２ａ）から前記洗浄室（２）内に導入し、保持手段（３）によって保持する工程、
（ｃ）保持されたのり網に高圧水を所定の時間噴射し、洗浄する工程、および
（ｄ）前記工程（ｃ）により洗浄されたのり網を出口から退出させる工程
を含んでなる
ことを特徴としている。
【００１４】
また、前記洗浄されるべきのり網は、互いに連結された２または３以上の回収されたのり網であることが好ましい。
【００１５】
また、前記高圧水の水圧が８０〜１２０ｋｇ／ｃｍ2であることが好ましい。
【発明の効果】
【００１６】
本発明によれば、使用済みののり網に付着したのり網の完全に除去することができ、資源の低消費（reduce）、再使用（reuse）、リサイクル（recycle）を実現し得るのり網洗浄装置および該装置を用いたのり網洗浄方法を提供することができる。
【発明を実施するための最良の形態】
【００１７】
添付図面を参照しながら本発明ののり網洗浄装置（以下、単に「洗浄装置」という）および該装置を用いたのり網洗浄方法（以下、単に「洗浄方法」という）を以下に詳細に説明する。
【００１８】
図１は本発明の一実施の形態にかかわる洗浄装置の概略を示す説明図である。図２は本発明の洗浄装置の概略を示す説明図である。図３の（ａ）は本発明の一実施の形態にかかわる洗浄装置の構成部品である洗浄室と該洗浄室内に配設された保持手段と高圧ノズルが設けられた説明図、図３の（ｂ）は高圧ノズルの噴射孔の説明図、図３の（ｃ）は図３の（ａ）の回転ノズルの一例を示す説明図、図４は本発明の変形例にかかわる洗浄装置の構成部品である洗浄室と該洗浄室内に配設された保持手段の一例を示す説明図、図５は図４の保持手段に高圧ノズルが設けられた状態を示す説明図、図６は本発明の洗浄装置の使用状態の説明図である。
【００１９】
図１〜２を参照すると、本実施の形態の洗浄装置１は、金属製または合成樹脂製の洗浄室２と、該洗浄室２に羅着、溶接、熱融着など従来より公知の固着手段によって固着・支持された１または２以上の高圧ノズル４と、該洗浄室２内において洗浄されるべきのり網Ｎ１（図６参照）を移動自在に保持するために該洗浄室２に固定して配設された複数個の網状を呈した保持手段Ｈとから構成されている。
【００２０】
当該保持手段Ｈは、金属製または合成樹脂製の線材から加工され、一端がドーム状洗浄室２の下部２Ｘおよび上部２Ｙの内面に、図３（ａ）に示されるように、たとえば、ネジＴによる螺着、溶接または熱融着により固定された複数の支持ワイヤ３ａ１、３ａ２により網状（格子状）に構成され、洗浄されるべきのり網Ｎ１（図６参照）を通過するための矩形状の挿通孔３ｂが画定されている。なお、支持ワイヤは、たとえば鋼線から構成することができるが、このほかステンレスロッドから構成することもできる。また、挿通孔３ｂは、一度に洗浄したいのり網の枚数に応じて適宜増やすことができる。図３（ａ）では、保持手段Ｈは、格子状または蜘蛛の巣様の網状を呈しているが、かかる形態に限定されるものではない。また、たとえば、保持手段Ｈは金属または合成樹脂製のプレートから構成することも可能であり、また、プレートと網状部との組み合わせであってもよい。この場合、プレートに丸孔または角孔を穿設することによって挿通孔３ｂが画定される。矩形状の挿通孔３ｂの大きさは、のり網がしぼられた状態で約２ｃｍ程度になるので、３ｃｍ×１５ｃｍであることが好ましい。このように、矩形状の挿通孔３ｂを採用することにより、線状に絞り込まれた洗浄されるべき網Ｎ１が挿通孔３ｂ内でのり網の繊維がばらけることによって、洗浄効果が上がるという利点がある。
【００２１】
つぎに、図１を参照すると、本実施の形態の洗浄装置１には、洗浄されたのり網を取り出すための引出手段５が、２つのローラＲ１、Ｒ２から構成された状態が図示されている。しかし、ローラの数は２つに限定されることはなく、３つ以上のローラから構成することも可能である。また、上部に配設されたローラＲ１、下部に配設されたローラＲ２の形状は、たとえば円柱状が好適に採用されるが、この形状に限られない。たとえば、紡錘状や、鞍状の形状も採用し得る。
【００２２】
さらに、ローラＲ１、Ｒ２は、互いに接触するように配設されておりさえすればよく、必ずしも互いに平行に配設する必要はない（すなわち、互いにねじれの状態で配設することも可能である）。
【００２３】
そして、当該ローラＲ１、Ｒ２のうちの少なくともいずれかに人力（クランクによってトルクを発生する）または動力（モータＭが発生した回転トルクをベルトＢまたは歯車（図示されていない）により伝達する）により回転トルクが付与されるようにすることもできる。なお、モータにより発生した回転は、たとえば、インバータ、減速歯車機構などにより変速してもよい。
【００２４】
また、上部に配設されたローラＲ２に対して、圧縮コイルバネ（または引張コイルバネ）や空気バネなどの従来より公知の付勢手段Ｓにより付勢することにより、下部に配設されたローラＲ１に押圧力を付与することができる。
【００２５】
また、図１に示されているように、挿通孔３ｂの上部および／または下部に仕切り板ＤＰを設けると、飛び散ったのりが洗浄後ののり網に付着するのを防ぐことができるという利点がある。
【００２６】
図２を参照すると、本実施の形態１の洗浄装置１の洗浄室２の外形形状は、ドーム状を呈しており、開放自在にされているが、洗浄室２の外形形状はドーム状に限られない。そして、この洗浄室２を開放することにより、装置内の点検や、洗浄室２内に残った掻き落とされたのりを除去することができ、また、のり網をスムーズにローラＲ１、Ｒ２に導入することができる。さらに、図１、２に示されているように、本実施の形態の洗浄装置１に、ダクトＤを設けておけば、ここにのりの残りかすを一時的に貯留しておくことができ、貯留されたのりの残りかすを一般廃棄物として、定められた処理場所に定期的に廃棄できるという利点がある。
【００２７】
図３（ａ）〜３（ｃ）を参照すると、洗浄室２内の両サイドに２本ずつ計４本の高圧ノズル４が配設されている。高圧ノズル４の本数は４本に限定されるものではなく、洗浄力をあげるには、さらに高圧ノズルを設けることもできる。また、図３（ｂ）に示すように高圧ノズル４の先端に複数の噴射孔４ａが設けられている。しかし、図示された構造はあくまでも一例であって、本発明は図示された構造（噴射孔の位置、数）に限定されない。そして、高圧ノズル４の先端のかかる構造により、洗浄力を上げることができる。また、図３（ｃ）に示されるように、２本の高圧ノズル４は、互いに軸Ｘに対して互いに逆方向に角度θ(θ＝３〜５度）だけ噴射方向が偏向されている。このように角度θだけ偏向させることにより高圧ノズル４に回転力を発生させることができ、回転数は１分間で５０〜２００回転させることにより、洗浄室２内の広い範囲に亘って噴射することができ、かつ、のりを落としやすくなるという利点を有する。
【００２８】
図４を参照すると本実施の形態の変形例にかかわる洗浄装置１の形状は、円筒状を呈しているが、特に限定されるものではなく、もちろんドーム状でもかまわない。本変形例にかかわる洗浄装置１は、金属製または合成樹脂製の洗浄室２と、該洗浄室２に羅着、溶接、熱融着など従来より公知の固着手段によって固着・支持された１または２以上の高圧ノズル４と、該洗浄室２内において洗浄されるべきのり網Ｎ１を移動自在に保持するために該洗浄室２に固定された保持手段３、３ａとから構成されている。
【００２９】
つぎに、図４〜６を参照すると、洗浄室２内には、洗浄されるべきのり網Ｎ１（図６参照）を移動自在に保持するために、互いに等間隔（Ｌ）だけ離間して配設された複数個の蜘蛛の巣様の網状を呈した保持手段Ｈが設けられている。当該保持手段Ｈは、金属製または合成樹脂製の線材から加工され、一端が洗浄室２の内面に溶接または熱融着により固定された３本〜４本の支持ワイヤ３ａと、当該支持ワイヤ３ａの他端に溶接または熱融着により固定された格子状または略環状部３とから構成され、環状部３によってのり網Ｎ１を挿通するための挿通孔３ｂが画定されている。また、挿通孔３ｂは、一度に洗浄したいのり網の枚数に応じて増やすことができる。図４では、保持手段Ｈは、格子状または蜘蛛の巣様の網状を呈しているが、かかる形態に限定されるものではない。また、たとえば、保持手段Ｈは金属または合成樹脂製のプレートから構成することも可能であり、また、プレートと網状部との組み合わせであってもよい。この場合、プレートに丸孔または角孔を穿設することによって挿通孔３ｂが画定される。挿通孔の大きさは、のり網がしぼられた状態で約２ｃｍ程度になるので、たとえば、直径３〜１５ｃｍの丸孔または３ｃｍ×１５ｃｍの角孔であることが好ましいが、かかる寸法（大きさ）に限定されるものではない。
【００３０】
そして、洗浄室２は、略線状に絞り込まれた洗浄されるべきのり網Ｎ１に、約１０〜１５０ｋｇ／ｃｍ2の高圧水（より好ましくは、８０〜１２０ｋｇ／ｃｍ2の高圧水）を噴射するために、当該洗浄されるべきのり網Ｎ１が進入する入口２ａと、洗浄されたのり網Ｎ２が退出する出口２ｂとを備えている。
【００３１】
また、図５に示されているように、高圧ノズル４は、たとえば洗浄室２の内面に等角（１２０度間隔）で離間して配設されており、当該高圧ノズル４は、図６に示されるように、互いにずれた位置に設けるようにしてもよい（このようにすると、のり網Ｎ１に万遍なく高圧水を噴射できるという利点がある）。そして、高圧ノズル４は、配管Ｃを介してポンプＰに接続されている。
【００３２】
また、図６を参照すると、本実施の形態においては、洗浄されたのり網Ｎ２を洗浄室２から出口２ｂを通して矢印Ｇ方向に引き出すための引出手段５を備えている。
【００３３】
つぎに、本発明の洗浄方法について説明する。
【００３４】
本発明ののり網の洗浄方法は、前述ののり網洗浄装置を用いて、回収された使用済みの洗浄されるべきのり網の洗浄方法である。
【００３５】
当該洗浄方法は、つぎの工程（ａ）〜工程（ｄ）を含んでいる。
【００３６】
工程（ａ）：前記洗浄されるべきのり網Ｎ１を略線状に絞り込む。
【００３７】
工程（ｂ）：前記洗浄されるべきのり網Ｎ１を入口２ａから洗浄室２内に導入し、保持手段３の挿通孔３ｂに挿通する。そして、これによって洗浄されるべきのり網Ｎ１を所定の位置に保持している。
【００３８】
工程（ｃ）：保持されたのり網Ｎ１に約１０〜１５０ｋｇ／ｃｍ2の高圧水（より好ましくは、８０〜１２０ｋｇ／ｃｍ2の高圧水）を所定の時間（たとえば、５〜３０秒間）噴射し、付着物がなく臭いも落として洗浄する。
【００３９】
工程（ｄ）：前記工程（ｃ）により洗浄されたのり網Ｎ２を出口２ｂから退出させる。
【００４０】
また、前記洗浄されるべきのり網Ｎ１は、予め２または３以上の回収されたのり網を互いに紐で連結しておけば洗浄作業の一層の効率化が図れるので好ましい。
【００４１】
また、工程（ｄ）に引き続き、たとえば、ＥＭ菌などの防臭剤を噴射すると、のりの腐敗臭の発散を完全に防止できるという利点がある。
【図面の簡単な説明】
【００４２】
【図１】本発明の一実施の形態にかかわる洗浄装置の概略を示す説明図である。
【図２】図１の洗浄装置を長手方向からみた端面説明図である。
【図３】図１の洗浄装置の要部説明図である。
【図４】本発明の一実施の形態にかかわる洗浄装置の構成部品である洗浄室と該洗浄室内に配設された保持手段の一例を示す説明図である。
【図５】図１の保持手段に高圧ノズルが設けられた状態を示す説明図である。
【図６】本発明の洗浄装置の概略を示す説明図である。
【符号の説明】
【００４３】
１  洗浄装置
２  洗浄室
４  高圧ノズル
５  引出手段
Ｈ  保持手段
【図１】
2008199903.tif 000003
【図２】
2008199903.tif 000004
【図３】
2008199903.tif 000005
【図４】
2008199903.tif 000006
【図５】
2008199903.tif 000007
【図６】
2008199903.tif 000008